(57)【要約】【課題】赤外センサ等の温度検知手段５を用いて衣類等の被乾燥物１７の位置を特定し、当該被乾燥物１７に直接風を当てることで、低コストで効率よく被乾燥物１７を乾かすことができる扇風機を提供する。【解決手段】  扇風機が、扇風機本体１と、扇風機本体１に設けられた温度検知手段５とを備え、温度検知手段５の温度検知結果に基づいて被乾燥物１７に向けて送風する構成とする。【選択図】図１
2019085882.tif 000002
【特許請求の範囲】
【請求項１】
扇風機本体と、
前記扇風機本体に設けられた温度検知手段とを備え、
前記温度検知手段の温度検知結果に基づいて被乾燥物に向けて送風する構成としたことを特徴とする扇風機。
【請求項２】
前記扇風機本体が、
送風部と、
前記送風部を首振り運動させる首振り装置と、
前記首振り装置を駆動させる首振り駆動部と、
前記送風部の首振り角度を制御する制御部と、を備え、
前記温度検知手段により前記被乾燥物およびその周囲の温度を検知し、
前記温度検知手段の検知結果に基づいて前記被乾燥物の位置を特定し、
特定された前記被乾燥物の位置に基づいて前記制御部により前記送風部の首振り角度を決定し、
決定された前記首振り角度に基づいて前記首振り駆動部により前記首振り装置を駆動させ、
前記送風部により前記被乾燥物に向けて送風する構成としたことを特徴とする請求項１に記載の扇風機。
【請求項３】
前記送風部から前記被乾燥物およびその周囲に送風し、前記被乾燥物で生じる気化熱による前記被乾燥物の温度変化に基づいて、前記被乾燥物とその周囲との間の温度差を検知し、前記被乾燥物の位置を特定する構成としたことを特徴とする請求項２に記載の扇風機。
【請求項４】
前記首振り装置により前記送風部を首振り運動させて、前記被乾燥物およびその周囲の温度を検知する構成としたことを特徴とする請求項２または３に記載の扇風機。
【請求項５】
前記被乾燥物を複数検知した場合、複数の前記被乾燥物の中間位置に前記送風部の首振り角度を設定する構成としたことを特徴とする請求項２〜４のいずれか１項に記載の扇風機。
【請求項６】
前記被乾燥物を複数検知した場合、前記被乾燥物が検知された範囲で前記送風部を首振り運動させて複数の前記被乾燥物に向けて送風する構成としたことを特徴とする請求項２〜４のいずれか１項に記載の扇風機。
【発明の詳細な説明】
【技術分野】
【０００１】
本発明は、例えば部屋干しされた衣類等の被乾燥物に向けて送風を行う扇風機に関する。
【背景技術】
【０００２】
従来、天候や季節によって、また住宅環境等によってはオールシーズンで、洗濯物等の被乾燥物を室内に干す、いわゆる部屋干しを行わなければならない状況が存在する。このように部屋干しをする場合には、乾燥むらが生じないようにさせながら、効率よく短時間で洗濯物を乾燥させることが求められている。例えば、特許文献１に開示される洗濯物送風乾燥機では、被乾燥物である洗濯物の上部に扇風機を設置して、洗濯物の上部より風を送ることで、洗濯物を乾かす洗濯物送風乾燥機が提案されている。
【先行技術文献】
【特許文献】
【０００３】
【特許文献１】特開２０１２−２００９７号公報
【発明の概要】
【発明が解決しようとする課題】
【０００４】
上記特許文献１に開示された構成では、洗濯物の位置によっては洗濯物に効率的に風が当たらない。そのため、十分な乾燥効率向上の効果が得られず、乾燥時間がかかり、コストが増大する原因となるおそれがあった。また、洗濯物全体に直接風を当てるためには、洗濯物を掛ける位置を工夫する等の必要があり、手間が掛かる問題があった。
【０００５】
本発明は、このような事情に鑑みてなされたものであり、赤外センサ等の温度検知手段を用いて衣類等の被乾燥物の位置を特定し、当該被乾燥物に直接風を当てることで、被乾燥物を低コストで効率よく乾かすことができる扇風機を提供する。
【課題を解決するための手段】
【０００６】
本発明はかかる課題を解決するため、扇風機本体と、前記扇風機本体に設けられた温度検知手段とを備え、前記温度検知手段の温度検知結果に基づいて被乾燥物に向けて送風する構成とした扇風機を提供する。
【０００７】
前記扇風機は、前記扇風機本体が、送風部と、前記送風部を首振り運動させる首振り装置と、前記首振り装置を駆動させる首振り駆動部と、前記送風部の首振り角度を制御する制御部と、を備え、前記温度検知手段により前記被乾燥物およびその周囲の温度を検知し、前記温度検知手段の検知結果に基づいて前記被乾燥物の位置を特定し、特定された前記被乾燥物の位置に基づいて前記制御部により前記送風部の首振り角度を決定し、決定された前記首振り角度に基づいて前記首振り駆動部により前記首振り装置を駆動させ、前記送風部により前記被乾燥物に向けて送風する構成とする場合がある。
【０００８】
前記扇風機は、前記送風部から前記被乾燥物およびその周囲に送風し、前記被乾燥物で生じる気化熱による前記被乾燥物の温度変化に基づいて、前記被乾燥物とその周囲との間の温度差を検知し、前記被乾燥物の位置を特定する構成とする場合がある。
【０００９】
前記扇風機は、前記首振り装置により前記送風部を首振り運動させて、前記被乾燥物およびその周囲の温度を検知する構成とする場合がある。
【００１０】
前記扇風機は、前記被乾燥物を複数検知した場合、複数の前記被乾燥物の中間位置に前記送風部の首振り角度を設定する構成とする場合がある。
【００１１】
前記扇風機は、前記被乾燥物を複数検知した場合、前記被乾燥物が検知された範囲で前記送風部を首振り運動させて複数の前記被乾燥物に向けて送風する構成とする場合がある。
【発明の効果】
【００１２】
本発明の扇風機によれば、扇風機本体に赤外線センサ等の温度検知手段を設け、温度検知手段の検知結果に基づいて被乾燥物に向けて送風する構成とすることで、温度検知手段の検知結果に基づいて衣類等の被乾燥物に直接風を当て、低コストで効率よく被乾燥物を乾かすことができる。
【図面の簡単な説明】
【００１３】
【図１】本発明の実施形態に係る扇風機本体の斜視写真図である。
【図２】同上、扇風機本体の正面図である。
【図３】同上、扇風機本体の右側面図である。
【図４】同上、送風部を右方向に向けた扇風機本体の斜視図である。
【図５】同上、送風部を上方に向けた扇風機本体の斜視図である。
【図６】同上、扇風機本体の斜め左前方に被乾燥物を置いた様子を示す写真図である。
【図７】同上、扇風機本体の動作を説明するフローチャートである。
【図８】同上、同上、操作部および表示部が設けられたベース上面の写真図である。
【図９】同上、赤外線センサの検知視野および分割範囲を示す図である。
【図１０】同上、扇風機の構成を示すブロック図である。
【図１１】同上、携帯型情報端末装置としてタブレット端末を使用した場合の表示画面の一例を示す図である。
【発明を実施するための形態】
【００１４】
以下、図面を参照して、本発明の扇風機の好ましい実施形態について説明する。
【００１５】
図１〜図５は、本発明の実施形態における扇風機本体１の外観を示している。これらの各図において、２は室内の床面などに載置されるベースである。３はベース２から上方に向かう支柱である。４は風を送り出す送風部である。送風部４の上面前側には、被乾燥物およびその周囲の温度を検知する温度検知手段としての赤外線センサ５が設けられている。支柱３の上端部と送風部４との間には、送風部４を任意の方向に首振り運動させるための首振り装置６が装備され、当該首振り装置６を駆動させる駆動源である首振り駆動部２７（図１０を参照）が設けられる。
【００１６】
首振り装置６は、首振り駆動部２７により、送風部４を、左右の水平方向、および、上下の垂直（俯仰）方向に、単独で、もしくは組み合わせて駆動することができる。図４は、送風部４を右方向に駆動させたときの状態を示している。図５は、送風部４を上方向に駆動させたときの状態を示している。送風部４の首振り角度は制御部１８（図１０を参照）により制御する。制御部１８により、送風部４の駆動方向や駆動量を制御し、送風部４を所定の首振り角度に固定することができる。首振り駆動部２７には、左右駆動用および上下駆動用の２つのステッピングモータを使用することができる。制御部１８から当該ステッピングモータに適切なパルス駆動信号を与えることで、送風部４の首振り角度や首振り速度を容易に調整することができる。
【００１７】
ベース２は、その外形が平面視でほぼ円形をなす扁平上に形成される。ベース２の前方上面には、複数のキーやボタンによる操作部７と、ＬＥＤなどの表示体による表示部８が設けられている。ベース２の側面前側には、遠隔操作体としてのリモコン４０（図６を参照）からの信号を受ける受光部９が設けられている。
【００１８】
支柱３は、首振り装置６を含めた送風部４を昇降させる昇降装置をなすものである。支柱３は、ベース２の後方上面から垂直に延びる筒状の支柱基部１０と、この支柱基部１０の内側に上下摺動自在に組み付けられた摺動杆１１とからなる。支柱基部１０の上部後方に設けたロック釦１２を、図示しない弾性体の付勢力に抗して押動することにより、支柱基部１０と摺動杆１１との係合が解除されて、送風部４や首振り装置６を支持する摺動杆１１が、支柱基部１０に対して上下に摺動するようになっている。
【００１９】
送風部４は、送風駆動部２８と、この送風駆動部２８により回転駆動されるファン１４と、ファン１４を覆う網状のガードであるファンガード１５とを備える。送風駆動部２８としては、例えばＤＣ（直流）モータを採用することができる。ＤＣモータに供給するパルス駆動信号のデューティ比を制御することで、ファン１４の回転数を任意に変更することができる。
【００２０】
送風部４の送風駆動部２８は、前側を開口した駆動部カバー１６により覆われている。駆動部カバー１６の開口周縁には、ファンガード１５が取り付けられる。
【００２１】
温度検知手段としての赤外線センサ５は、対象物が発する赤外線放射エネルギーを対象物から離れた位置で検出し、例えばＡＤコンバータ付きマイコン等により温度換算した熱画像をデジタル出力し、検知温度に応じて設定した色で検知温度をカラー表示することができる。赤外線センサ５は、扇風機本体１に設けられる。赤外線センサ５が１画素センサの場合、当該赤外線センサ５は、送風部４を首振り運動しながら所定の首振り角度で検知温度を記憶する必要があるので、首振り運動可能な送風部４に設置されることが好ましい。例えば図１では、ファンガード１５の上面前側に設けられている。ただし、多画素の赤外線アレイセンサを用いる場合には、当該赤外線センサ５をベース２や支柱３等に設置することもできる。赤外線センサ５としては、例えば、対象物から放射される赤外線を受けると入射エネルギー量に応じた熱起電力を発生して、対象物の温度を検知するサーモパイル型の赤外線センサを使用することができる。
【００２２】
扇風機本体１は、無線通信部２０（図１０を参照）をさらに備え、無線プロトコルを使用して携帯型情報端末装置４１に連結されている。携帯型情報端末装置４１は、例えば、扇風機本体１内の対応ＷｉＦｉ（登録商標）モジュール（図示せず）と信号を送受信して、扇風機本体１で検知した温度分布や風量等を表示する他、扇風機本体１の風量調節などの操作を遠隔で行うことができる。
【００２３】
上記扇風機本体１と、赤外線センサ５と、リモコン４０および携帯型情報端末装置４１とにより、本実施形態における扇風機が構成される。
【００２４】
以上のような構成の本実施形態に係る扇風機の動作について、図７に示すフローチャートに基づいて説明する。
【００２５】
本実施形態の扇風機本体１は、図６に示すように、衣類等の被乾燥物１７が首振り運動の範囲内に入るように載置される。同図では、扇風機本体１の斜め左前方の位置に、被乾燥物１７としての濡れたタオルがハンガーに掛けられている。操作部７の部屋干しボタン３１（図８を参照）等の操作、または、リモコン４０の操作により、部屋干しモードが開始されると、送風部４を首振りしながら送風し、赤外線センサ５による温度検知を開始する（ステップＳ１）。以降、当該ステップＳ１の動作を「スキャン」とも呼ぶ。
【００２６】
赤外線センサ５は、図９に示すように、検知視野２１を複数の範囲に分割した分割範囲２２ごとの温度を検知する。検知視野２１の範囲は、送風部４の首振り運動が可能な範囲内で、任意に設定することができる。個々の分割範囲２２の大きさは、赤外線センサ５の視野角の範囲内に収まるように設定される。検知視野２１をいくつに分割するかは任意であり、図９では上下方向に３分割、左右方向に９分割している。
【００２７】
送風部４は、予め設定された分割範囲２２の温度を検知するため、各分割範囲２２に対応した首振り角度で停止し、その各位置で赤外線センサ５による温度検知を行う。検知された温度は、分割範囲２２の位置情報と併せて記憶部２３に記憶され、温度分布図が作成される。送風部４の首振り角度の制御は、首振り制御部１８から首振り駆動部２７に送信される駆動信号に基づいて行われる。各分割範囲２２をどの順序でスキャンするかは特に限定されない。
【００２８】
ステップＳ２では、温度検知手段５の検知結果に基づいて被乾燥物１７の位置を特定する。ここでは、送風部４から濡れた被乾燥物１７およびその周囲に送風し、被乾燥物１７で生じる気化熱を利用して、被乾燥物の位置を特定する。濡れた被乾燥物１７に風が当たると、被乾燥物１７の水分が気化することにより、被乾燥物１７の温度がその周囲の温度よりも低くなる。この被乾燥物１７の温度変化１７に基づいて、被乾燥物１７とその周囲との間の温度差を赤外線センサ５により検知し、被乾燥物１７の位置を特定する。
【００２９】
温度表示は、例えば温度が最も低い分割範囲２２の温度を基準として、所定の温度差毎に例えば５段階で表示することができる。ここで、温度が最も低い分割範囲２２（の一群（一塊））を被乾燥物１７の位置と特定することが好ましい。しかしながら、最も低い分割範囲２２とこれに隣接する分割範囲２２との温度の差が１段階と小さく、当該隣接する分割範囲２２とこれに隣接する分割範囲２２との温度差が２段階或いは３段階と大きい場合には、温度が低い方から２段階までの分割範囲２２の一群を被乾燥物１７の位置と特定するようにしてもよい。
【００３０】
ステップＳ３では、ステップＳ２で特定された被乾燥物１７の位置に基づいて制御部１８により送風部４の首振り角度を決定する。
【００３１】
被乾燥物１７が１つである場合や、被乾燥物１７が検知視野２１内の一部に偏っている場合、温度の低い分割範囲２２は１個であるか、または、数個の分割範囲２２が集り一塊になって一群を形成した状態である。温度の低い分割範囲２２が１個である場合は、その分割範囲２２に送風部４を向けて、被乾燥部１７に直接風が当たるように首振り角度を決定する。被乾燥部１７に直接風が当たることで、一例では、通常の部屋干しでは乾燥時間が約４時間であるところ、２時間程度に短縮することができる。温度の低い分割範囲２２が数個集まり、温度の低い範囲が一塊になって一群を形成している状態である場合には、それらの分割範囲２２のいずれかに送風部４を向けて、被乾燥物１７に風が当たるように首振り角度を決定する。または、最も温度が低い分割範囲２２に送風部４を向けるように首振り角度を決定する。
【００３２】
温度の低い分割範囲２２の一群が複数個離れて検知された場合、または、温度の低い分割範囲２２の一群が左右方向或いは上下方向に長く連続した状態で検知された場合、被乾燥物１７が複数あると検知することができる。この場合、複数の被乾燥物１７の中間位置に送風部４の首振り角度を設定し、各被乾燥物１７の乾燥むらがないようにすることができる。例えば、被乾燥物１７が２つ検知された場合、各被乾燥物１７があると判断できる２つの分割範囲２２の（一群の）中央の位置に存在する分割範囲２２に送風部４の首振り角度を設定する。被乾燥物１７が３つ以上ある場合には、被乾燥物１７があると判断できるすべての分割範囲２２から等しい距離にある分割範囲２２に送風部４の首振り角度を設定すればよい。温度の低い分割範囲２２の一群が左右方向或いは上下方向に長い状態で検知された場合には、温度の低い分割範囲２２の一群の中央部分に送風部４の首振り角度を設定すればよい。
【００３３】
上述と同様に、被乾燥物１７を複数検知した場合、被乾燥物１７が検知された範囲で送風部４を首振り運動させて複数の被乾燥物１７に向けて送風することもできる。このような構成により、各被乾燥物１７に直接風を当てて、乾燥の効率を向上することができる。この場合、温度の低い分割範囲２２の左右上下限を、首振り運動の左右上下限とすると、無駄のない範囲で被乾燥物１７に向けて送風することができる。
【００３４】
ステップＳ４では、ステップＳ３で決定された首振り角度に基づいて、首振り駆動部２７により首振り装置６を駆動させる。
【００３５】
ステップＳ５では、ステップＳ４で移動した首振り角度の位置で、送風部４により被乾燥物１７に向けて送風する。送風の風量は、ステップＳ１での風量よりも弱くすることで、経済的に乾燥効率を上げることができる。ステップＳ５では、例えば、風速２ｍ／ｓ程度の風速とすることが好ましい。
【００３６】
被乾燥物１７がどの程度乾燥したか、被乾燥物１７を乾燥中に定期的に確認すると、乾燥するまでの時間が予測できたり、風量を調節することができ、効果的である。この場合、所定のスキャン間隔時間で、送風・首振り・温度検知（スキャン）を複数回行うことができる。
【００３７】
ステップＳ６およびステップＳ７では、スキャンを再度行うか判断される。予め設定されたスキャン間隔時間の経過後（ステップＳ６）、複数回スキャンを行うことが予め設定されている場合には（ステップＳ７、Ｙｅｓ）、ステップＳ８に進み、予め設定された送風を停止する時間が経過しているか、または、被乾燥物１７の温度が周囲温度まで上昇したか或いは予め設定された温度に到達したか、判断が行われる。尚、これらの３つの条件は、単独で用いてもよいし、それぞれ２つまたは３つを組み合わせて用いてもよい。ステップＳ８で「Ｙｅｓ」の場合、送風は停止される。ステップＳ８で「Ｎｏ」の場合、ステップＳ１に戻って再度スキャンを行い、ステップＳ２の「被乾燥物位置特定」、ステップＳ３の「首振り角度決定」、ステップＳ４の「首振り装置駆動」、および、ステップＳ５の「送風」を行う。
【００３８】
被乾燥物１７の温度が周囲温度まで上昇したか否かの判断は、被乾燥物１７の温度を赤外線センサ５で測定し、測定した現在の温度を、ステップＳ１のスキャン時に記憶部２３に記憶された周囲温度と比較することにより、行うことができる。被乾燥物１７の温度測定は、送風中継続して測定してもよいし、一定時間ごとに測定するようにしてもよい。上記の再度のスキャン時に、被乾燥物１７の温度と周囲温度が同程度である場合には、予め設定された送風を停止する時間が経過していなくても、送風を停止するようにしてもよい。
【００３９】
ステップＳ７において、複数回スキャンを行うことが予め設定されていないと判断された場合（Ｎｏ）は、ステップＳ９に進み、予め設定された送風を停止する時間が経過しているか、または、被乾燥物１７の温度が周囲温度まで上昇したか或いは予め設定された温度に到達したか、判断が行われる。これらの３つの条件は、単独で用いてもよいし、それぞれ２つまたは３つを組み合わせて用いてもよい。ステップＳ９で「Ｙｅｓ」の場合、送風は停止される。ステップＳ９で「Ｎｏ」の場合、ステップＳ５に戻って送風を続ける。被乾燥物１７の温度が周囲温度まで上昇したか否かの判断は、上記と同様にして行うことができる。尚、扇風機本体１において複数回スキャンを一切行わない場合には、ステップＳ６、ステップＳ７およびステップＳ８を省略することができる。
【００４０】
本実施形態の扇風機本体１の構成を図１０に示すブロック図に基づいて説明する。
【００４１】
扇風機本体１の内部に設けられた制御部１８は、操作部７の操作情報や受光部９が受けたリモコン４０からの通信情報、携帯型情報端末装置４１からの通信情報に基づいて、扇風機本体１の動作を制御する。制御部１８は、温度検知手段である赤外線センサ５が測定した温度情報を保存する記憶部２３と、記憶部２３に保存された温度情報から、被乾燥物１７の位置を特定する被乾燥物特定部２４と、特定された被乾燥物１７の位置から送風部４の首振り角度を決定する首振り角度決定部２５と、決定した首振り角度および所定の設定風量や風量調節に基づいた風量を制御する首振り角度・風量制御部２６を備える。
【００４２】
扇風機本体１の内部には、首振り角度・風量制御部２６により制御される駆動部１９が設けられる。駆動部１９は、送風部４の首振り運動の駆動源であり、送風部４を首振り運動させる首振り装置６を駆動させる首振り駆動部２７と、ファン１４の回転運動の駆動源であり、風を送り出す送風部４を駆動する送風駆動部２８とを備える。
【００４３】
扇風機本体１の内部にはさらに、スマートフォンやタブレット端末等の携帯型情報端末装置４１と無線通信を行うＷｉＦｉモジュール等の無線通信部２０が設けられる。無線通信部２０は、赤外線センサ５を用いて取得した検知視野２１の範囲の温度分布情報や現在の風量情報を送信して携帯型情報端末装置４１に表示したり、携帯型情報端末装置４１から送信された風量調節等の指示信号を受信して制御部１８に対して制御情報を送出する。
【００４４】
ベース２の上面には、扇風機本体１の動作状態をＬＥＤなどの点灯によって表示する表示部８が設けられる。
【００４５】
携帯型情報端末装置４１としてタブレット端末を使用した場合の表示画面４２の一例を図１１に示す。表示画面４２の中央には温度分布表示部４３が設けられている。温度分布表示部４３は、赤外線センサ５によって検知した各分割範囲２２の温度を表示し、同図では、検知視野２１の範囲を３行×９列に分割して表示している。表示画面４２の左方には、風量表示部４４が設けられている。風量表示部４４は、運転中の風量を表示することができる。表示画面の右方には、風量調節ボタン４５が設けられている。風量調節ボタン４５を操作することで、送風部４の風量の強弱をコントロールすることができる。
【００４６】
扇風機本体１の具体的な動作の一例について説明する。
【００４７】
使用者が操作部７またはリモコン４０を操作して扇風機本体１の電源をオンにすると、表示部８に電源オン状態を示す表示がなされる。使用者がさらに、ベース２の操作部７またはリモコン４０に設けられた部屋干しボタン３１を押すと、部屋干しモードが開始され、送風部４を首振りしながら被乾燥物１７とその周囲に向けて送風し、赤外線センサ５による温度検知を開始する。
【００４８】
赤外線センサ５は、検知視野２１を複数の範囲に分割した分割範囲２２ごとの温度を検知する。
【００４９】
送風部４は、予め設定された分割範囲２２の温度を検知するため、各分割範囲２２に対応した首振り角度で停止し、その各位置で赤外線センサ５の温度検知を行う。検知された温度は、分割範囲２２の位置情報と併せて記憶部２３に記憶される。当該情報は携帯型情報端末装置４１に送信され、携帯型情報端末装置４１に温度分布図（図１１を参照）が表示される。
【００５０】
濡れた被乾燥物１７に送風部４からの風が当たり、被乾燥物１７の水分が気化することにより、被乾燥物１７の温度がその周囲の温度よりも低くなるので、図１１に示すように、この温度が低い分割範囲３５，３６，３７，３８の一群を被乾燥物１７の位置であると特定する。
【００５１】
被乾燥物１７の位置が特定されると、その位置に向けて送風するように送風部４の首振り角度を決定する。図１１では、分割範囲３５の位置に首振り角度を決定している。決定された首振り角度に基づいて、首振り駆動部２７により首振り装置６を駆動させる。移動した首振り角度の位置で、送風部４により被乾燥物１７（分割範囲３５）に向けて送風する。送風の風量は、スキャン時の風量よりも弱くし、例えば、風速２ｍ／ｓ程度の風速とすることができる。この風量は、携帯型情報端末装置４１からの遠隔操作で変更することができる。
【００５２】
予め設定された送風を停止する時間が経過したか、または、被乾燥物１７の温度が周囲温度まで上昇したか或いは予め設定された温度に到達した場合には、送風は停止され、部屋干しモードが終了する。予め設定された送風を停止する時間は、室内の環境や被乾燥物１７の量等を考慮して決定すればよく、例えば２時間とすることができる。予め設定された温度は、例えば室温と同じ温度とすることができる。室温は、例えば扇風機本体１に設けられた温度計（図示せず）で測定することができる。測定された室温は、例えば図８のように表示部８に表示することができる。
【００５３】
以上のように、本実施形態では、扇風機が、扇風機本体１と、扇風機本体１に設けられた温度検知手段５とを備え、温度検知手段５の温度検知結果に基づいて被乾燥物１７に向けて送風する構成となっている。
【００５４】
この場合、温度検知手段５の検知結果に基づいて衣類等の被乾燥物１７に直接風を当てることで、低コストで効率よく被乾燥物１７を乾かすことができる。
【００５５】
本実施形態の扇風機は、扇風機本体１が、送風部４と、送風部４を首振り運動させる首振り装置６と、首振り装置６を駆動させる首振り駆動部２７と、送風部４の首振り角度を制御する制御部１８と、を備え、温度検知手段５により被乾燥物１７およびその周囲の温度を検知し、温度検知手段５の検知結果に基づいて被乾燥物１７の位置を特定し、特定された被乾燥物１７の位置に基づいて制御部１８により送風部４の首振り角度を決定し、決定された首振り角度に基づいて首振り駆動部２７により首振り装置６を駆動させ、送風部４により被乾燥物１７に向けて送風する構成とする場合がある。
【００５６】
この場合、温度検知手段５を用いて衣類等の被乾燥物１７の位置を特定し、当該被乾燥物１７に直接風を当てることで、低コストで簡単な構成で被乾燥物１７の乾燥効率を向上することができる。
【００５７】
本実施形態の扇風機は、送風部４から被乾燥物１７およびその周囲に送風し、被乾燥物１７で生じる気化熱による被乾燥物１７の温度変化に基づいて、被乾燥物１７とその周囲との間の温度差を検知し、被乾燥物１７の位置を特定する構成とする場合がある。
【００５８】
この場合、低コストで確実に被乾燥物１７の位置を特定することができる。
【００５９】
本実施形態の扇風機は、首振り装置６により送風部４を首振り運動させて、被乾燥物１７およびその周囲の温度を検知する構成とする場合がある。
【００６０】
この場合、検知視野２１の範囲内で各分割範囲２２の温度を効率よく検知し、温度分布を取得することができる。
【００６１】
本実施形態の扇風機は、被乾燥物１７を複数検知した場合、複数の被乾燥物１７の中間位置に送風部４の首振り角度を設定する構成とする場合がある。
【００６２】
この場合、複数の被乾燥物１７に対しても、乾燥時間を短縮することができる。
【００６３】
本実施形態の扇風機は、被乾燥物１７を複数検知した場合、被乾燥物１７が検知された範囲で送風部４を首振り運動させて複数の被乾燥物１７に向けて送風する構成とする場合がある。
【００６４】
この場合、複数の被乾燥物１７の乾燥むらを抑え、すべての被乾燥物１の乾燥効率を均等に向上することができる。
【００６５】
以上、本発明を実施形態に基づいて説明したが、本発明は種々の変形実施をすることができる。例えば、携帯型情報端末装置４１の表示画面４２で、送風する分割範囲２２を任意に選択して送風部４の首振り角度を設定し、首振り装置６を遠隔操作できるようにしてもよい。また、携帯型情報端末装置４１の表示画面４２で、複数回スキャンを行うかどうか設定し、スキャン間隔時間を設定できるようにしてもよい。
【符号の説明】
【００６６】
１  扇風機本体
４  送風部
５  温度検知手段（赤外線センサ）
６  首振り装置
１７  被乾燥物
１８  制御部
２７  首振り駆動部
【図１】
2019085882.tif 000003
【図２】
2019085882.tif 000004
【図３】
2019085882.tif 000005
【図４】
2019085882.tif 000006
【図５】
2019085882.tif 000007
【図６】
2019085882.tif 000008
【図７】
2019085882.tif 000009
【図８】
2019085882.tif 000010
【図９】
2019085882.tif 000011
【図１０】
2019085882.tif 000012
【図１１】
2019085882.tif 000013